(57)【特許請求の範囲】
【請求項１】
印刷機（１０）であって、シングルシート（１２６，１２８）の印刷用の印刷ステーション（３６，５６）、及び、唯一のプリンタサブストレート面（１９）上の少なくとも１つの巻取紙（１２２）、及び、前記プリンタサブストレート面（１９）に配属された印刷ヘッド（５６）を有しており、該印刷ヘッド（５６）内には、シングルシート（１２６，１２８）が、手による紙差しにより、給紙卓上で操作者側から前記印刷ステーション（３６，５６）に給紙され、該印刷ステーション内で、前記巻取紙（１２２）が、少なくとも、当該巻取紙の幅の一部分で重畳することがあり、その際、少なくとも１つの前記巻取紙（１２２）と前記シングルシート（１２６，１２８）とが、別個の給紙チャネル（３４；３０）を介して前記印刷ステーション（３６，５６）に給紙され、モータ駆動の搬送ローラ対（４４，６６，７０）によって通常印刷ラインの方向に紙差し可能である印刷機において、
巻取紙（１２２）は、操作側から印刷ステーションに給紙され、巻取紙給紙チャネル（３４）及びシングルシート給紙チャネル（３０）には、それぞれ１つの、給紙ローラ対（１００；４４）の被駆動給紙ローラ（９８；３８）が配属されており、揺れ腕（４８）上に設けられた対向ローラ（４２）が選択的に巻取紙給紙チャネル（３４）又はシングルシート給紙チャネル（３０）の被駆動給紙ローラ（９８；３８）に押圧可能であることを特徴とする印刷機。
【請求項２】
シングルシート（１２６，１２８）及び少なくとも１つの連続的な巻取紙（１２２）に共通であって、被駆動排紙ローラ（７６）を有する少なくとも１対の排紙ローラ対（７０）を有する排紙チャネル（３７）が、用紙搬送方向で見て、印刷ステーション（３６，５６）の後ろ側に設けられている請求項１記載の印刷機。
【請求項３】
少なくとも１つの巻取紙（１２２）によって占有される、印刷ステーション（３６，５６）の領域内に、印刷ヘッド（５６）の後ろ側に断裁ステーション（６８）が設けられている請求項１記載の印刷機。
【請求項４】
断裁ステーション（６８）は、用紙搬送方向で見て、排紙ローラ対（７０）の前に設けられている請求項３記載の印刷機。
【請求項５】
断裁ステーションは、用紙搬送方向で見て、排紙ローラ対（７０）の後ろ側に設けられている請求項３記載の印刷機。
【請求項６】
巻取紙給紙チャネル（３４）の入り口領域内に、紙差しローラ対（９３）が設けられており、前記紙差しローラ対（９３）は、対向ローラ（４２）が連続給紙ローラ（９８）に押圧される場合にだけ、巻取紙（１２２）に係合することができる請求項１〜５までのいずれか１記載の印刷機。
【請求項７】
被駆動排紙ローラ（７６）は、同時に、紙差しローラ対（９３）の被駆動ローラであり、前記紙差しローラ対（９３）の一緒に回転する紙差しローラ（９２）は、紙差しボタン（９４）の作動によって回動可能なレバー（１０８）のレバーアーム（１１０）に設けられており、そうすることによって、一緒に回転する前記紙差しローラ（９２）は、前記被駆動排紙ローラ（７６）に押圧され、揺れ腕（４８）に調整レバー（１１６）が連結されており、該調整レバー（１１６）は、前記揺れ腕（４８）が巻取紙給紙チャネル（３４）の方向に回動される場合に限って、前記レバー（１０８）の回動路を開ける請求項２〜５までのいずれか１記載の印刷機。
【請求項８】
揺れ腕（４８）に、印刷ライン方向に対して平行な用紙止め（５０）が設けられており、前記用紙止めは、シングルシート給紙チャネル（３０）を、当該シングルシート給紙チャネル（３０）の方向に前記揺れ腕（４８）が回動した場合に限って開く請求項１〜７までのいずれか１記載の印刷機。
【請求項９】
印刷ヘッド（５６）と排紙ローラ対（７０）との間の排紙チャネル（３７）内に、第１の被駆動排紙ローラ対と同期した第２の被駆動排紙ローラ対（６６）が設けられており、前記第２の被駆動排紙ローラ対（６６）は、印刷ラインの全幅に亘って延在しているが、少なくとも１つの巻取紙（１２２）によって占有されている領域を開けている請求項２〜８までのいずれか１記載の印刷機。
【請求項１０】
印刷ヘッド（５６）は、インクジェット式印刷ヘッドである請求項１〜９までのいずれか１記載の印刷機。
【発明の詳細な説明】
前述の形式の印刷機は、世界知的所有権機関特許公開第９１／１３７６５号公報から公知である。この公開には、上方を向いたニードルマウスピースを有するニードル印刷ヘッドが、プリンタサブストレート面の下部に設けられており、印刷ケーシングは、プリンタサブストレート面内で跳ね上げ可能である。その際、用紙貯蔵乃至巻回ローラ及び巻取紙用の断裁装置は、印刷機ケーシングの上部内に良好にアクセス可能に収容されており、そうすることによって、新たな巻取紙の始端部を紙差しするのが極めて容易になる。この装置の別の利点は、シングルシートと単数乃至複数の巻取紙とを、プリンタサブストレート面の完全に別個の経路で案内して、このプリンタサブストレート面から導出することができ、その結果、常時印刷機内にある巻取紙とシングルシートとを相互に重畳させることができる点にある。シングルシートの印刷のために、このシングルシートは、水平に配向された平坦な給紙卓上を印刷ヘッドと巻取紙との間に紙差しされる。シングルシートは、印刷後、シングルシート搬送用だけに特定された搬送ローラ対によって印刷機から搬送される。巻取紙を、引き続いて即座に再度印刷ヘッドの前に位置付けて、印刷することができる。
公知の装置の利点は、インクジェットプリントヘッドを有する印刷機には転用することができない。と言うのは、そのような印刷ヘッドは、公知のように、下側から上の方に印刷することはできないからである。印刷ヘッドと印刷サポート部とを簡単に交換できるとしても、この問題点は解決されない。と言うのは、常時印刷機内にある巻取紙により、シングルシートは印刷ヘッドからシールドされるからである。他方、オフィス用印刷機で慣用のプリンタサブストレートの操作では、巻取紙が、シングルシートの紙差しの前に印刷領域から引き戻されるが、このプリンタサブストレートの操作は、キャッシュデスクプリンタでは使用することができない。キャッシュデスクプリンタでは、ドキュメント印刷とカウンタフォイルの印刷とを常に切換える必要があり、カウンタフォイルの印刷用に通常のように使用される巻取紙を引き戻して新たに給紙することは、時間が掛かり過ぎる。巻取紙が、貯蔵ローラから巻き外されて、印刷ステーションの後ろ側で巻き上げローラに巻き上げられるジャーナルレコーディングの場合には、そのような方法は何れにせよ用いることはできない。
従って、本発明の課題は、インクジェットプリントヘッドの使用に適した、唯一のプリンタサブストレート面上での、シングルシート及び少なくとも１つの巻取紙の印刷用の印刷ステーションを有する印刷機を提供することである。
この課題は、本発明請求の範囲１の特徴部分に記載した要件、つまり、巻取紙は、操作側から印刷ステーションに給紙され、巻取紙給紙チャネル及びシングルシート給紙チャネルには、それぞれ１つの、給紙ローラ対の被駆動給紙ローラが配属されており、揺れ腕上に設けられた対向ローラが選択的に巻取紙給紙チャネル又はシングルシート給紙チャネルの被駆動給紙ローラに押圧可能であることによって解決される。
本発明が基礎とする技術思想は、インクジェットプリントヘッドは、巻取紙が操作側から印刷ステーションに供給される場合に、唯一のプリントヘッドとして、シングルシートと少なくとも１つの巻取紙上の印刷手段を有するキャッシュデスクプリンタで使用することができるということである。プリントヘッドは、水平方向に対する印刷方向が角度０°＜α≦９０°であるように下の方に傾けることができる。プリントヘッドノズルを多少急峻に傾斜することによって、インク貯蔵量が終わる迄高い信頼度でインクを流出させることができるようになる。
その際、重畳して用紙を給紙するという上述の問題は、少なくとも１つの巻取紙（その貯蔵ロールが、印刷機の後ろ側の上の方の領域内にのみ配置することができる）が、下側から、印刷サポート部の下側を通って、印刷ステーションに給紙されるようにすることによって解決される。その際、前から、人間工学的な理由から印刷機の下側の領域内に設けられている給紙卓を介して給紙されるシングルシートは、巻取紙の前に配置することができる。公知の印刷機に対する、この装置構成の別の利点は、シングルシートを、印刷面が上の方を向いた印刷機でも印刷することができるという点である。
プリントヘッドの下側に給紙チャネルを一緒に案内することは、特に簡単且つスペースを節約して構成することができ、その際、巻取紙給紙チャネル及びシングルシート給紙チャネルには、それぞれ１つの、給紙ローラ対の被駆動給紙ローラが配属されており、揺れ腕上に設けられた対向ローラが選択的に巻取紙給紙チャネル又はシングルシート給紙チャネルの被駆動給紙ローラに押圧可能であるようにすることによって構成することができる。巻取紙又はシングルシートの択一選択的な給紙は、紙の衝突を高い信頼度で回避するようにして必然的に達成される。揺れ腕は、電磁石によって、又は、ステップモータによっても調整することができる。
有利には、シングルシート及び少なくとも１つの連続的な巻取紙に共通であって、被駆動排紙ローラを有する少なくとも１対の排紙ローラ対を有する排紙チャネルが、用紙搬送方向で見て、印刷ステーションの後ろ側に設けられている。例えば、領収書のような、シングルシート片のそれぞれ個別の一部分を印刷すべき、本発明の印刷機の実施例では、少なくとも１つの巻取紙によって占有される、印刷ステーションの領域内に、印刷ヘッドの後ろ側に断裁ステーションが設けられている。この印刷機は、断裁レールと共働する公知の断裁ホイールを有しており、この断裁ホイールは、プリントヘッドキャリアに連結可能であり、このプリントヘッドキャリアによって、印刷ステーションの幅全体に亘って給紙可能である。しかし、他の断裁装置、例えば、プリンタサブストレート面に対して垂直に位置調整可能なナイフブレード（Ｍｅｓｓｅｒｂｌａｔｔ）又は断裁シリンダが螺旋ブレード（Ｍｅｓｓｅｒｈｅｌｉｘ）と共に使用される。
断裁ステーションは、用紙搬送方向で見て、排紙ローラ対の前、又は、後ろ側に設けることができる。第１の場合には、レシートのヘッド領域内の用紙の損失が特に僅かしかないが、断裁過程後、更にもう一回操作しなければならない。第２の場合には、これは必要ない。
少なくとも１つの巻取紙の送りローラは、既述のように、印刷機の後ろ側の領域内に収容されている。新たな巻取紙の始端の紙差しを容易にするために、巻取紙給紙チャネルは、印刷機の上側に迄達している。本発明の実施例では、巻取紙給紙チャネルの入り口領域内に、紙差しローラ対が設けられており、前記紙差しローラ対は、揺れ腕によって、対向ローラが連続給紙ローラに押圧される場合にだけ、巻取紙に係合することができる。
紙差し領域の特に簡単な構造は、被駆動排紙ローラは、同時に、紙差しローラ対の被駆動ローラであり、紙差しローラ対の一緒に回転する紙差しローラは、レバーのレバーアームに設けられている。紙差しボタンの作動によって、レバーは、回動可能であり、そうすることによって、一緒に回転する紙差しローラは、被駆動紙差しローラに押圧される。揺れ腕に調整レバーが連結されており、この調整レバーは、揺れ腕が巻取紙給紙チャネルの方向に回動される場合に限って、レバーの回動路を開ける。
本発明の他の実施例では、揺れ腕に、用紙搬送方向で見て、印刷ライン方向に対して平行な用紙止めが設けられており、用紙止めは、シングルシート給紙チャネルを、当該シングルシート給紙チャネルの方向に揺れ腕が回動した場合に限って開く。印刷機の基底位置状態では、揺れ腕は、対向ローラがシングルシート給紙チャネルのローラによって持ち上げられる位置状態に位置している。従って、用紙止めは、この給紙チャネルを遮断する。シングルシート給紙チャネル内に紙差しされるシングルシートは、用紙止めに当接し、そうすることによって、印刷ラインに対して平行に配向される。印刷ラインに対して平行に配向されると即座に、用紙止めの下側に設けられた光バリアのビーム路が遮断され、それに続いて、揺れ腕の位置調整作動により、揺れ腕は、シングルシート給紙チャネルの方向に位置調整される。対向ローラは、シングルシート給紙チャネルのローラに押圧され、そうすることによって、シングルシートを把持する。それと同時に、用紙止め内に形成された窓により、シングルシート給紙チャネルを開けて、回転される給紙ローラ対は、シングルシートを印刷ステーション内に給紙することができる。
小さなフォーマットのシングルシート、例えば、小切手用紙を印刷することができるためには、本発明の他の実施例に応じて、プリントヘッドと排紙ローラ対との間の排紙チャネル内に、最初に述べた外側の被駆動排紙ローラ対と同期して駆動される内側の排紙ローラ対が設けられている。これは、印刷ライン幅全体に亘って延在しているが、少なくとも１つの巻取紙によって占有されている領域を開けることができ、その結果、シングルシートの搬送によって、不所望に一緒に搬送されることはなくなる。
本発明の別の要件及び利点は、以下の本発明の図示の実施例の説明から分かる。その際：
図１は、印刷機の斜視図を示し、
図２は、図１の線ＩＩ−ＩＩに沿った、休止位置状態の印刷機の側方断面図を示し、
図３は、図２の印刷機の、駆動形式「巻取紙紙差し」時の図を示し、
図４は、図２の印刷機の、駆動形式「シングルシート給紙」時の図を示し、
図５は、図２に示された印刷機のプリンタサブストレート面を前から見た略図である。
図１には、印刷機が一般的に１０で示されている。この印刷機は、電気回路ボックス１２（他の電気回路と並んで印刷機用の制御電気回路が収容されている）、下側のケーシング部１４及び上側のケーシング部１６を有している。ケーシング部１４，１６には、前の下側から後ろの方に対角線方向に上昇するプリンタサブストレート縦孔溝１８が形成されている。プリンタサブストレート縦孔溝１８は、前方から、ほぼ水平の給紙卓２０に移行しており、後ろ側で、上側のケーシング部１６のカバー面２４上の出口開孔２２に繋がっている。給紙卓２０は、図１の右側に図示されたストッパー壁２６によって限定されており、左側は、プリンタサブストレート縦孔溝１８と同様に開いている。カバー面２４内には、更に、複数のボタンを有する操作領域２８が入れられており、その内の１つは、以下説明する紙差しボタン９４である。
図２には、図１の線ＩＩ−ＩＩに沿った、休止位置状態の印刷機１０（但し、電気回路ボックス１２なし）の側方断面図が示されている。後壁１９がプリンタサブストレート面を形成するプリンタサブストレート縦孔溝１８に、用紙搬送方向、つまり、下から上の方に見て、順次連続して、シングルシート給紙チャネル３０、巻取紙給紙チャネル３４の接線方向の紙差し口３２、印刷対向支承部３６及び排紙チャネル３７が形成されていることが分かる。
シングルシート給紙チャネル３０内には、プリンタサブストレート縦孔溝１８の、前方を向いた面側には、給紙モータ４０によって駆動可能なシングルシート給紙ローラ３８が設けられており、裏面側には、シングルシート給紙ローラ対４４の一緒に回転する対向ローラ４２が設けられている。対向ローラ４２は、回動軸４６を中心にして回動可能な揺れ腕４８上に回動可能に支承されており、揺れ腕４８を用いて、対向ローラ４２は、シングルシート給紙ローラ３８に押圧された位置と、この位置から持ち上げられた位置との間で変位することができる。図２には、対向ローラ４２が、シングルシート給紙ローラ３８から持ち上げられた位置で図示されている。
シングルシート給紙ローラ対４４の上側には、揺れ腕４８に、プリンタサブストレート縦孔溝１８の幅全体に亘って延在している文書用紙止め５０が設けられており、この文書用紙止め５０には、窓５２が設けられている。文書用紙止め５０の直ぐ前には、シンボリックにしか図示していない光バリア５４が、シングルシート給紙チャネル３０内に設けられている。印刷対向支承部３６には、ノズル板５７を有するインク印刷ヘッド５６が対向配置されている。インク印刷ヘッド５６は、印刷ヘッドキャリア５８上に保持されており、印刷ヘッドキャリア５８は、キャリアモータ６０によって、印刷対向支承部３６に沿ってレール６２上を摺動される。
印刷対向支承部３６の上側から、排紙チャネル３７が始まり、排紙チャネル３７は、出口開口２２に至る迄延在している。この排紙チャネル３７内には、用紙給紙方向で見て、順次連続して、内側排紙ローラ対６６、断裁ステーション６８及び外側排紙ローラ対７０が設けられている。内側の排紙ローラ対６６は、内側の駆動排紙ローラ７２及び内側の一緒に回転する排紙ローラ７４から構成されており、外側の排紙ローラ対７０は、外側の駆動排紙ローラ７６及び外側の一緒に回転する排紙ローラ７８（図３）から構成されている。排紙ローラ７２及び７６は、同期して排紙モータ８０によって駆動される。
断裁ステーション６８は、ブレードキャリア８２に回転可能に支承されたブレードホイール８４（図５）を有しており、このブレードホイール８４は、公知の形式で、印刷ヘッドキャリア５８に連結されており、その際、この印刷ヘッドキャリア５８によって、排紙チャネル３７の幅に亘って動かすことができる。ブレードホイール８４は、その際、断裁レール８６の断裁エッジに沿って移動する。
巻取紙給紙チャネル３４は、ほぼＳ字形をしている。巻取紙給紙チャネル３４は、用紙貯蔵ローラ９０の収容槽８８の上縁から始まり、既述のように、プリンタサブストレート縦孔溝１８内の紙差し口３２で終わっている。外側の駆動排紙ローラ７６は、その外周の一部分により、巻取紙給紙チャネル３４の限定壁９０を貫通して突出していて、一緒に回転する紙差しローラ９２と一緒に紙差しローラ対９３を構成する。一緒に回転する紙差しローラ９２は、更に後述するように、その休止位置で、外側の駆動排紙ローラ７６から持ち上げられるが、紙差しボタン９４の作動によって紙差しボタン９４に対向して押圧可能である。
揺れ腕４８上に回転可能に支承された対向ローラ４２は、その外周の一部分で、巻取紙給紙チャネル３４の、既に再度上昇された下側の領域内で、巻取紙給紙チャネル３４の他方の限定壁９６を貫通して突出し、被駆動巻取紙給紙ローラ９８と共に巻取紙給紙ローラ対１００を構成する。揺れ腕４８には、電磁石１０２が係合しており、この電磁石は、その吸引状態で、対向ローラ４２を被駆動シングルシート給紙ローラ３８に向かって押圧される。電磁石の非通電状態では、揺れ腕４８は、引っ張りばね１０４によって、その他方の位置に回動され、この位置では、対向ローラ４２は、第４の対向ローラ９８の方に向かって押圧される。第４の対向ローラ９８は、シンボリックに交差ベルト１０６として図示された伝動装置によって、被駆動シングルシート給紙ローラ３８に対して反対側の回転方向に駆動される。
一緒に回転するシングルシートローラ９２は、２アーム操作レバー１０８の一方のアーム１１０に回転可能に支承されており、この操作レバーの他方のアーム１１２には、紙差しボタン９４が係合されている。操作レバー１０８は、印刷機のフレームに固定されたピン１１４を中心にして回動可能に支承されている。電磁石１０２によって、揺れ腕４８に可動連結された遮断レバー１１６を、その長手軸線方向に移動させることができる。この遮断レバーから、アーム１１０の位置調整経路内に突入された遮断ピン１１８が突出している。紙差しボタン９４は、その操作位置で、スイッチ１２０を閉じ、このスイッチの機能については、更に以下、後述する。
図５には、印刷機１０のプリンタサブストレート面が、前面略図で示されている。巻取紙１２２は、巻取紙給紙チャネル３４の流入口３２からプリンタサブストレート縦孔溝１８内に出ていく。これは、プリンタサブストレート面の所定領域しか占有していないことが分かる。更に、プリンタサブストレート面の幅全体を覆うシングルシート１２６及び狭幅で短い文書用紙１２８があり、この文書は、種々異なる位置１２８′、１２８″にあることが分かる。
被駆動シングルシート給紙ローラ３８及び一緒に回転する外側の排紙ローラ７８は、プリンタサブストレート面の幅全体に亘って延在しており、内側の排紙ローラ対６６（一緒に回転するローラ７４だけが図示されている）からは、巻取紙１２２によって占有される領域が空けられている。
以下、図２−５を用いて、印刷機１０の種々異なる作動状態について、説明する。図２には、休止状態の印刷機が図示されている。モータ４０，６０及び８０及び電磁石１０２は、非通電状態である。従って、対向ローラ４２は、被駆動巻取紙給紙ローラ９８に向かって押圧されている。巻取紙１２２は、図では、既に１部分、巻取紙給紙チャネル３４内に挿入されている。紙差しボタン９４（図３）の操作によって、一緒に回転する紙差しローラ９２は、被駆動の外側排紙ローラ７６の方に押圧され、それと同時に、スイッチ１２０が作動される。従って、排紙モータ８０及び給紙モータ４０がスイッチオンされ、そうすることによって、巻取紙１２２は、ローラ対９３，１００，７０からプリンタサブストレート縦孔溝１８内及びプリンタサブストレート縦孔溝１８を通って搬送される。続いて、所定の用紙の始まりの場合に、断裁装置６８が作動される。
図３には、シングルシート１２６又は文書用紙１２８は、給紙卓２０上で、開けられたシングルシート給紙ローラ対４４間を通って文書用紙止め５０に至る迄挿入される。光バリア５４がシングルシート１２６乃至文書用紙１２８を検出すると即座に、且つ、印刷過程が丁度巻取紙１２２で運転されていない限りで、電磁石１０２は通電され、そうすることによって、対向ローラ４２は、巻取紙１２２と係合しなくなり、シングルシート１２６乃至文書用紙１２８と係合するようになる。揺れ腕４８の位置調整によって、文書用紙止め５０と同時に位置調整して、給紙モータ４０が通電されると即座に、シングルシート１２６乃至文書用紙止め１２８が、窓５２を通って出てくることができるようになる。排紙のために、勿論、排紙モータ８０を通電するようにしなければならない（図４）。
遮断レバー１１６は、電磁石１０２によって、シングルシートの加工に作用する作動形式で、下の方に引き下げられる。従って、遮断ピン１１８は、操作レバー１０８の回動路内に位置しており、その結果、紙差しボタン９４を押すことができず、つまり、紙差しローラ対は非作動状態である。巻取紙給紙ローラ対１００も開かれているので、シングルシート１２６又は文書用紙がプリンタサブストレート縦孔溝１８内にある場合に、巻取紙１２２を紙差しすることができない。
長いシングルシート１２６が、問題なく、シングルシート給紙ローラ対４４から外側の排紙ローラ対７０に送ることができる場合に、このローラ対間の間隔は、例えば、小切手用紙のような短い文書用紙１２８にとっては、大きすぎる。この理由から、これらローラ対間には、内側の排紙ローラ対６６が挿入される。図５に図示されている種々異なる文書用紙位置１２８，１２８′，１２８″から分かることように、文書用紙は、少なくとも２つのローラ対と常に係合している。広幅の短い文書用紙の場合にも、文書用紙を直線状に確実に案内するために、巻取紙１２２によって占有された領域の両側に、排紙ローラ対６６の部分ローラ７４，７４′が配設されている。
【図１】
0004046772.tif 000002
【図５】
0004046772.tif 000003
【図２】
0004046772.tif 000004
【図３】
0004046772.tif 000005
【図４】
0004046772.tif 000006